(57)【要約】【課題】筐体の美観を向上させることができる再生装置を提供する。【解決手段】記録媒体７０に記録されているコンテンツを再生する再生処理を実行する回路４０と、回路４０を内部に収容し、前側の前壁部１１を有する筐体１０と、筐体１０の前壁部１１の前側に配置されるカバー部材３０と、を備える再生装置１であって、筐体１０は、前壁部１１の後方に配置され、前壁部１１と前後方向で重なる位置に配置される複数の被接続部１９〜２２と、筐体１０の下壁部１３の複数の被接続部１９〜２２と上下方向に重なる位置にそれぞれ配置されている複数の開口１５〜１８と、を有し、カバー部材３０は、板状のカバー本体３１と、カバー本体３１の下端に設けられ、それぞれが複数の開口１５〜１８を貫通して複数の被接続部１９〜２２に対して左右方向に沿った回転軸で回動自在に接続される複数の接続部３２〜３５と、を有する。【選択図】図２
2019114317.tif 000002
【特許請求の範囲】
【請求項１】
記録媒体に記録されているコンテンツを再生する再生処理を実行する回路と、前記回路を内部に収容し、前側の前壁部および下側の下壁部を有する筐体と、前記筐体の前記前壁部の前側に配置されるカバー部材と、を備える再生装置であって、
前記筐体は、
前記前壁部の後方に配置され、前記前壁部と前後方向で重なる位置に配置される複数の被接続部と、
前記筐体の下壁部の前記複数の被接続部と上下方向に重なる位置にそれぞれ配置されている複数の開口と、を有し、
前記カバー部材は、
板状のカバー本体と、
前記カバー本体の下端に設けられ、それぞれが前記複数の開口を貫通して前記複数の被接続部に対して左右方向に沿った回転軸で回動自在に接続される複数の接続部と、を有する
再生装置。
【請求項２】
前記複数の被接続部のそれぞれは、左右方向に延びる軸体であり、
前記複数の接続部のそれぞれは、当該接続部が対応する前記被接続部としての軸体の軸周りを囲う環状の軸受けであり、
前記複数の接続部は、
前記カバー本体の左右方向の両端に配置され、それぞれが対応する前記被接続部の軸周りの全周を囲う形状を有する２つの第１接続部と、
前記２つの第１接続部の間に配置され、対応する前記被接続部の径方向側の一部が切り欠かれている切り欠き形状を有する第２接続部と、を有する
請求項１に記載の再生装置。
【請求項３】
前記複数の開口のうちの前記第２接続部が貫通する第２開口は、左右方向の幅が前記第２接続部よりも所定の隙間分大きい
請求項２に記載の再生装置。
【請求項４】
前記複数の開口のうちの前記２つの第１接続部が貫通する２つの第１開口のそれぞれの左右方向の幅は、前記第１接続部の左右方向の幅と、前記軸体の左右方向の幅とを合わせた幅よりも大きい
請求項３に記載の再生装置。
【請求項５】
前記２つの第１接続部に対応する２つの前記被接続部は、前記筐体の左右方向に略直交する２つの面から互いに近づく方向に突出している
請求項１から４のいずれか１項に記載の再生装置。
【請求項６】
さらに、
前記カバー部材が前記前壁部に対して所定の角度以上の位置にある場合には、開く回転方向に前記カバー部材を付勢し、前記カバー部材が前記前壁部に対して前記所定の角度未満の位置にある場合には、閉じる回転方向に前記カバー部材を付勢するように、前記筐体と、前記カバー部材とに接続されているバネを備え、
前記筐体は、前記バネの一端に貫通される第１貫通孔で前記バネと接続されており、
前記カバー部材は、前記バネの他端に貫通される第２貫通孔で前記バネと接続されている
請求項１から５のいずれか１項に記載の再生装置。
【請求項７】
前記バネの一端側は、前記第１貫通孔を貫通している貫通部分よりも先端側の先端部分が前記貫通部分から屈曲している
請求項６に記載の再生装置。
【請求項８】
前記記録媒体は、光ディスクであり、
前記再生装置は、さらに、前記記録媒体が配置されるトレイであって、前方にスライドすることで前記筐体から露出するトレイを備え、
前記カバー部材は、前記筐体に収容された状態の前記トレイの前方を覆う
請求項１から７のいずれか１項に記載の再生装置。
【発明の詳細な説明】
【技術分野】
【０００１】
本発明は、筐体の前壁部を覆うカバー部材を有する再生装置に関する。
【背景技術】
【０００２】
特許文献１には、筐体に開閉自在なフロントドアが設けられた再生装置が開示されている。
【先行技術文献】
【特許文献】
【０００３】
【特許文献１】特開２０１１−１３４３７８号公報
【発明の概要】
【発明が解決しようとする課題】
【０００４】
本開示は、筐体の美観を向上させることができる再生装置を提供する。
【課題を解決するための手段】
【０００５】
本開示における再生装置は、記録媒体に記録されているコンテンツを再生する再生処理を実行する回路と、前記回路を内部に収容し、前側の前壁部および下側の下壁部を有する筐体と、前記筐体の前記前壁部の前側に配置されるカバー部材と、を備える再生装置であって、前記筐体は、前記前壁部の後方に配置され、前記前壁部と前後方向で重なる位置に配置される複数の被接続部と、前記筐体の下壁部の前記複数の被接続部と上下方向に重なる位置にそれぞれ配置されている複数の開口と、を有し、前記カバー部材は、板状のカバー本体と、前記カバー本体の下端に設けられ、それぞれが前記複数の開口を貫通して前記複数の被接続部に対して左右方向に沿った回転軸で回動自在に接続される複数の接続部と、を有する。
【発明の効果】
【０００６】
本開示における再生装置は、筐体の美観を向上させることができる。
【図面の簡単な説明】
【０００７】
【図１】図１は、実施の形態に係る再生装置の外観を示す図である。
【図２】図２は、筐体と、カバー部材との接続部分の構成について説明するための図である。
【図３】図３は、筐体と、カバー部材との接続部分の構成について説明するための図である。
【図４Ａ】図４Ａは、筐体に対してカバー部材を取り付けるときの取り付け方法について説明するための図である。
【図４Ｂ】図４Ｂは、筐体に対してカバー部材を取り付けるときの取り付け方法について説明するための図である。
【図５】図５は、カバー部材が閉じている状態から第１の角度開いた場合にカバー部材に作用するバネの力がカバー部材に作用する方向について説明するための図である。
【図６】図６は、カバー部材が所定の角度以上の位置にある場合にカバー部材に作用するバネの力がカバー部材に作用する方向について説明するための図である。
【発明を実施するための形態】
【０００８】
（本発明の基礎となった知見）
本発明者は、「背景技術」の欄において記載した従来の再生装置に関し、以下の問題が生じることを見出した。
【０００９】
従来の再生装置では、筐体の前面に開口が形成されているため、筐体とフロントドアとの嵌合部が前面に露出している。このため、フロントドアが開いている状態では、筐体とフロントドアとの嵌合部における軸受け構造、隙間などが露出してしまい、外観上の見栄えが悪いという課題がある。
【００１０】
また、筐体の前面に開口が形成されているため、当該開口から筐体の内部に異物が侵入するおそれがある。よって、侵入した異物により筐体の内部の回路に不具合が発生するおそれがある。異物の侵入を防ぐために開口とせずに凹部内で勘合させることも考えられるが、この場合、筐体の形状が複雑になるという問題がある。また、凹部が筐体の内部を占有する割合が大きくなるため、筐体が大型化するという問題もある。
【００１１】
本発明者は、以下で説明する構成の再生装置により、上記の課題を解決した。
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を十分に理解するために添付図面および以下の説明を提供するのであって、これらによって特許請求の範囲に記載の主題を限定することを意図するものではない。
【００１４】
（実施の形態）
以下、図１〜図６を用いて、実施の形態を説明する。
【００１５】
［１．構成］
図１は、実施の形態に係る再生装置の外観を示す図である。
【００１６】
なお、以降の図では、前後方向をＹ軸方向とし、前側をＹ軸方向マイナス側、後側をＹ軸方向プラス側とする。また、上下方向をＺ軸方向とし、上側をＺ軸方向プラス側、下側をＺ軸方向マイナス側とする。また、左右方向をＸ軸方向とし、右側をＸ軸方向プラス側、左側をＸ軸方向マイナス側とする。また、図中における各方向を示す矢印において、矢印の先端側を当該方向のプラス側とし、先端側とは反対側を当該方向のマイナス側とする。
【００１７】
図１の（ａ）は、カバー部材３０が閉じている状態を示す図である。図１の（ｂ）は、トレイ６０がスライドして露出状態となることで、カバー部材３０が開いている状態を示す図である。
【００１８】
再生装置１は、記録媒体７０に記録されているコンテンツを再生し、再生することにより得られた映像信号を、例えばＴＶ、モニタなどの表示装置に出力する装置である。再生装置１は、例えば、記録媒体７０としてＤＶＤ、Ｂｌｕ−ｒａｙ（登録商標）  Ｄｉｓｃ（ＢＤ）などの光ディスクに記録されているコンテンツを再生する、ＤＶＤプレーヤ、ＢＤプレーヤなどである。
【００１９】
図１に示すように、再生装置１は、筐体１０と、カバー部材３０とを備える。再生装置１は、さらに、トレイ６０を備えていてもよい。
【００２０】
筐体１０は、略直方体形状の箱状の部材である。筐体１０は、例えば、Ｚ軸方向に扁平な略直方体形状を有する。筐体１０は、内部に、記録媒体７０に記録されているコンテンツを再生する再生処理を実行する回路４０を収容している。また、筐体１０は、トレイ６０上に配置されている記録媒体７０からコンテンツを読み出す光ピックアップ、商用電源からの電力を再生装置１で利用する電力に変換する電源ユニットなどの各種電子機器（図示せず）を収容していてもよい。筐体１０は、例えば、金属、樹脂などにより構成されている。また、筐体１０の下面には、当該下面と再生装置１が載置される面との間に空間を形成するための脚部が配置されていてもよい。
【００２１】
カバー部材３０は、筐体１０の前側に配置される部材である。カバー部材３０は、例えば、筐体１０の前壁部１１の全体を覆う部材である。このため、カバー部材３０は、筐体１０に収容された状態のトレイ６０の前方を覆う。カバー部材３０は、例えば、金属、樹脂などにより構成されている。
【００２２】
トレイ６０は、記録媒体７０が配置される部材であり、図１の（ｂ）に示すように、筐体１０に対して前方にスライドすることで筐体１０から露出する。
【００２３】
次に、筐体１０と、カバー部材３０との接続部分について説明する。
【００２４】
図２および図３は、筐体と、カバー部材との接続部分の構成について説明するための図である。図２は、筐体１０の前壁部１１を含む前側の一部と、カバー部材３０とが分解されている状態を、後側から見た図である。図３は、筐体１０の前壁部１１を含む前側の一部と、カバー部材３０とが接続されている状態を、後側から見た図である。
【００２５】
筐体１０は、複数の被接続部１９〜２２と、複数の開口１５〜１８とを有する。筐体１０は、前壁部１１に、トレイ６０が前方にスライドしたときに貫通する開口１２を有する。
【００２６】
複数の被接続部１９〜２２は、筐体１０の前壁部１１の後方に配置され、前壁部１１とＹ軸方向で重なる位置に配置される。複数の被接続部１９〜２２は、筐体１０のＹ軸方向マイナス側の端部かつＺ軸方向マイナス側の端部に、Ｘ軸方向に並んで配置される。複数の被接続部１９〜２２のそれぞれは、Ｘ軸方向に延びる軸体であり、例えば、Ｘ軸方向に沿った軸を有する円柱形状である。
【００２７】
なお、被接続部は、角柱形状であってもよい。この場合、軸受けは内面が角柱形状に外接する円柱形状の曲面を有する丸孔を有する。
【００２８】
複数の被接続部１９〜２２のうちの３つの被接続部１９〜２１は、それぞれ、筐体１０のＸ軸方向に交差する面２３〜２５からＸ軸方向プラス側に突出している。複数の被接続部１９〜２２のうちの１つの被接続部２２は、筐体１０のＸ軸方向に交差する面２６からＸ軸方向マイナス側に突出している。つまり、複数の被接続部１９〜２２のうちのＸ軸方向の両側に配置される被接続部１９、２２は、筐体１０のＸ軸方向に略直交する２つの面２３、２６から互いに近づく方向に突出している。なお、４つの面２３〜２６は、筐体１０の前壁部１１と筐体の前側の一部の下壁部１３とに亘って形成されるＹＺ平面に平行な板状の部位である。
【００２９】
また、筐体１０の下壁部１３よりもＹ軸方向プラス側には、下壁部１３よりもＺ軸方向マイナス側の位置に配置される下壁部１４が配置されている。つまり、筐体１０の下壁部は、互いに高さが異なる下壁部１３および下壁部１４により構成されており、下壁部１３および下壁部１４の間には段差が形成されている。なお、下壁部は、段差が形成されておらず、同一の高さに配置される平面によって形成されていてもよい。
【００３０】
複数の開口１５〜１８は、筐体１０の下壁部１３の複数の被接続部１９〜２２とＺ軸方向に重なる位置にそれぞれ配置されている。複数の開口１５〜１８は、筐体１０の下壁部１３を貫通して形成されている開口である。
【００３１】
カバー部材３０は、カバー本体３１と、複数の接続部３２〜３５とを有する。
【００３２】
カバー本体３１は、板状の部位である。カバー本体３１は、筐体１０の前壁部１１の全体を覆う、Ｘ軸方向に長い長尺板状の部位である。
【００３３】
複数の接続部３２〜３５は、カバー本体３１のＺ軸方向マイナス側の端部に設けられている部位である。複数の接続部３２〜３５は、それぞれが複数の開口１５〜１８を貫通して複数の被接続部１９〜２２に対してＸ軸方向に沿った回転軸で回転自在に接続される部位である。複数の接続部３２〜３５は、カバー本体３１からＹ軸方向プラス側に突出しており、突出している部位の先端において、複数の被接続部１９〜２２に対して接続される。つまり、複数の接続部３２〜３５のそれぞれは、当該接続部が対応する被接続部１９〜２２としての軸体の軸周りを囲う環状の軸受けである。複数の接続部３２〜３５における環状の軸受けは、被接続部１９〜２２の外周面と嵌合する形状を有する。つまり、複数の接続部３２〜３５における環状の軸受けは、円柱形状の空間を有する丸孔で構成される。具体的には、接続部３２は、被接続部１９と嵌合する丸孔３２ａを有する。接続部３３は、被接続部２０と嵌合する丸孔３３ａを有する。接続部３４は、被接続部２１と嵌合する丸孔３４ａを有する。接続部３５は、被接続部２２と嵌合する丸孔３５ａを有する。
【００３４】
なお、環状の軸受けは、角孔で構成されていてもよい。この場合、軸体は角孔の内面に内接する曲面で構成される円柱形状を有する。
【００３５】
また、複数の接続部３２〜３５は、２つの接続部３２、３５と、接続部３４とを有する。２つの接続部３２、３５は、カバー本体３１のＸ軸方向の両端に配置され、それぞれが対応する被接続部１９、２２の軸周りの全周を囲う形状を有する。接続部３４は、２つの接続部３２、３５の間に配置され、対応する被接続部２１の径方向側の一部が切り欠かれている切り欠き形状３４ｂを有する。
【００３６】
また、図３、および、後述する図４Ｂの（ｅ）、（ｆ）に示すように、筐体１０とカバー部材３０とは、互いに接続されている状態において、バネ５０によって接続されている。バネ５０の一端５１は、筐体１０の前壁部１１に形成された突出部２７に形成されている第１貫通孔２７ａを貫通することで、突出部２７に接続されている。つまり、筐体１０は、バネ５０の一端５１に貫通される第１貫通孔２７ａでバネ５０と接続されている。なお、突出部２７は、前壁部１１の内面側において、Ｘ軸方向における位置が開口１６近傍の位置に配置されており、当該位置からＹ軸方向プラス側に突出しているＹＺ平面に略平行な板状の部位である。
【００３７】
また、バネ５０の他端５２は、カバー部材３０の接続部３３に形成されている第２貫通孔３３ｂを貫通することで、接続部３３と接続されている。つまり、カバー部材３０は、バネ５０の他端５２に貫通される第２貫通孔３３ｂでバネ５０と接続されている。
【００３８】
つまり、バネ５０の、筐体１０またはカバー部材３０との接続部分である両端５１、５２は、貫通孔２７ａ、３３ｂに貫通することにより接続されているため、カバー部材３０が筐体１０に対して回転することで、バネ５０の両端５１、５２が筐体１０またはカバー部材３０の被接続部分に対して回転しても、バネ５０は振動しにくい。よって、カバー部材３０を筐体１０に対して回転させたときにバネ５０が振動することにより異音が発生することを低減することができる。
【００３９】
また、バネ５０の一端５１側は、第１貫通孔２７ａを貫通している貫通部分５１ｂよりも先端側の先端部分５１ａが貫通部分５１ｂから屈曲している。このため、カバー部材３０が破損して筐体１０から外れたとしても、筐体１０からバネ５０が外れることを低減することができる。よって、バネ５０が外れることで筐体１０内部の回路４０などの回路に与える、例えば、短絡するなどの悪影響を低減することができる。
【００４０】
［２．取り付け方法］
次に、筐体１０に対してカバー部材３０を取り付けるときの取り付け方法について説明する。
【００４１】
図４Ａおよび図４Ｂは、筐体に対してカバー部材を取り付けるときの取り付け方法について説明するための図である。図４Ａおよび図４Ｂは、Ｚ軸方向から見た場合の平面図である。また、図４Ａおよび図４Ｂでは、筐体１０の前側の一部のみを図示しており、上面を省略している。
【００４２】
まず、図４Ａの（ａ）および（ｂ）に示すように、カバー部材３０のＸ軸方向プラス側に配置されている２つの接続部３２、３３を筐体１０の２つの開口１５、１６に挿入する。このとき、カバー部材３０のカバー本体３１を前側に撓ませながら２つの接続部３２、３３を２つの開口１５、１６に挿入する。このとき、２つの接続部３２、３３は、２つの被接続部１９、２０にＸ軸方向の位置が重ならない状態で、２つの開口１５、１６に挿入される。つまり、複数の開口１５〜１８のうちの２つの接続部３２、３３が貫通する２つの開口１５、１６のそれぞれのＸ軸方向の幅は、各接続部３２、３３のＸ軸方向の幅と、各被接続部１９、２０のＸ軸方向の幅とを合わせた幅よりも大きい。
【００４３】
このため、２つの接続部３２、３３は、開口１５、１６を貫通した状態で、２つの接続部３２、３３が対応する２つの被接続部１９、２０の軸方向に対してスライドすることができる。よって、２つの接続部３２、３３を被接続部１９、２０に接続させることが容易にできる。
【００４４】
次に、２つの開口１５、１６に２つの接続部３２、３３を挿入した状態で、カバー部材３０をＸ軸方向プラス側にスライドさせる。これにより、図４Ａの（ｃ）に示すように、２つの接続部３２、３３は、２つの被接続部１９、２０に貫通される。
【００４５】
そして、図４Ｂの（ｄ）に示すように、カバー部材３０のカバー本体３１の接続部３４の部分を前側に撓ませながら接続部３５を開口１８に挿入し、接続部３５を被接続部２２に貫通させることで、接続部３５を被接続部２２に接続する。このとき、接続部３５が貫通する開口１８のＸ軸方向の幅は、接続部３５のＸ軸方向の幅と、被接続部２２のＸ軸方向の幅とを合わせた幅よりも大きい。このため、接続部３５を、被接続部２２にＸ軸方向の位置が重ならない状態で、開口１８に挿入することが容易にできる。
【００４６】
次に、接続部３４を開口１７に貫通させた状態で、切り欠き形状３４ｂを被接続部２１に押し当てることで、被接続部２１を接続部３４の丸孔３４ａに貫通させる。これにより、接続部３４を被接続部２１に接続する。なお、複数の開口１５〜１８のうち、接続部３４が貫通する開口１７は、Ｘ軸方向の幅が接続部３４よりも所定の隙間分大きい。なお、所定の隙間とは、カバー部材３０が筐体１０に接続されている状態における、接続部３２と面２３との間の隙間、または、接続部３５と面２６との間の隙間と同等の隙間である。
【００４７】
このため、開口１７は、接続部３５とＸ軸方向で当接することでカバー部材３０のＸ軸方向への移動を規制することができる。また、開口１７のＸ軸方向における幅を接続部３５のＸ軸方向における幅と同等することができるのは、接続部３４を対応する被接続部２１に対して軸方向に垂直な方向（つまり、Ｙ軸方向プラス側）に移動させることで、被接続部２１に接続させることができる切り欠き形状３４ｂを接続部３４が有するからである。
【００４８】
最後に、図４Ｂの（ｅ）、（ｆ）に示すように、バネ５０の一端５１を突出部２７の第１貫通孔２７ａに挿入し、バネ５０の他端５２を接続部３３の第２貫通孔３３ｂに挿入することで、バネ５０を筐体１０およびカバー部材３０に接続する。
【００４９】
［３．開閉動作］
次に、カバー部材３０の開閉動作について説明する。
【００５０】
図５は、カバー部材が閉じている状態から第１の角度開いた場合にカバー部材に作用するバネの力がカバー部材に作用する方向について説明するための図である。図５は、図４Ｂの（ｅ）のＶ−Ｖ断面図である。
【００５１】
図５の（ａ）に示すように、カバー部材３０が閉じている状態では、バネ５０の両端５１、５２が開いた状態となっており、この状態でバネ５０の両端５１、５２は互いに遠ざかる方向に付勢されている。このとき、カバー部材３０の接続部３３の回転中心（つまり、被接続部２０の中心）と、突出部２７の第１貫通孔２７ａとを結ぶ直線Ｌよりも、バネ５０の他端５２が接続されている接続部３３の第２貫通孔３３ｂがＹ軸方向プラス側に位置する。上述したようにバネ５０は、両端５１、５２を互いに遠ざかる方向に付勢しているため、突出部２７の第１貫通孔２７ａと接続部３３の第２貫通孔３３ｂとを遠ざかる方向に付勢する。よって、カバー部材３０は、接続部３３の回転中心において、図示における右回転方向に向けてバネ５０により付勢されることとなり、閉状態が維持される。
【００５２】
図５の（ｂ）に示すように、カバー部材３０を第１の角度α１開いた場合においても、カバー部材３０の接続部３３の回転中心（つまり、被接続部２０の中心）と、突出部２７の第１貫通孔２７ａとを結ぶ直線Ｌよりも、バネ５０の他端５２が接続されている接続部３３の第２貫通孔３３ｂがＹ軸方向プラス側に位置する。よって、上記と同様に、カバー部材３０は、接続部３３の回転中心において、図示における右回転方向に向けてバネ５０により付勢されることとなり、閉じる方向に回転される。これにより、カバー部材３０は、図５の（ａ）に示す閉状態となる。
【００５３】
ここで、例えば、トレイ６０がスライドして露出することでカバー部材３０が開状態となった場合に、図５の（ｂ）の状態となってもよい。この場合、トレイ６０が露出している状態においては、カバー部材３０はバネ５０により閉じる方向に付勢されていることとなる。よって、トレイ６０が筐体１０に収納されると、カバー部材３０は、バネ５０の付勢力により図５の（ａ）に示す閉状態となる。
【００５４】
図６は、カバー部材が所定の角度以上の位置にある場合にカバー部材に作用するバネの力がカバー部材に作用する方向について説明するための図である。図６は、図５と同様に、図４Ｂの（ｅ）のＶ−Ｖ断面図に対応している。
【００５５】
図６の（ａ）に示すように、カバー部材３０が所定の角度としての第２の角度α２以上の位置にある状態では、カバー部材３０の接続部３３の回転中心（つまり、被接続部２０の中心）と、突出部２７の第１貫通孔２７ａとを結ぶ直線Ｌよりも、バネ５０の他端５２が接続されている接続部３３の第２貫通孔３３ｂがＹ軸方向マイナス側に位置する。上述したようにバネ５０は、両端５１、５２を互いに遠ざかる方向に付勢しているため、図５の場合と同様に、突出部２７の第１貫通孔２７ａと接続部３３の第２貫通孔３３ｂとを遠ざかる方向に付勢する。しかしながら、図５の場合とは異なり、直線Ｌよりもバネ５０の他端５２が接続されている第２貫通孔３３ｂがＹ軸方向マイナス側に位置するため、カバー部材３０は、接続部３３の回転中心において、図示における左回転方向に向けてバネ５０により付勢されることとなる。このため、図６の（ｂ）に示すように、カバー部材３０は、開状態となる。
【００５６】
このように、バネ５０は、カバー部材３０が前壁部１１に対して所定の角度としての第２の角度α２以上の位置にある場合には、開く回転方向にカバー部材３０を付勢する。また、バネ５０は、カバー部材３０が前壁部１１に対して第２の角度α２未満の位置にある場合には、閉じる回転方向にカバー部材３０を付勢する。
【００５７】
［４．効果など］
本実施の形態に係る再生装置１によれば、記録媒体７０に記録されているコンテンツを再生する再生処理を実行する回路４０と、回路４０を内部に収容する筐体１０と、筐体１０の前側に配置されるカバー部材３０と、を備える。筐体１０は、筐体１０の前壁部の後方に配置され、前壁部と前後方向で重なる位置に配置される複数の被接続部１９〜２２と、筐体１０の下壁部１３の複数の被接続部１９〜２２とＺ軸方向に重なる位置にそれぞれ配置されている複数の開口１５〜１８と、を有する。カバー部材３０は、板状のカバー本体３１と、カバー本体３１の下端に設けられ、それぞれが複数の開口１５〜１８を貫通して複数の被接続部１９〜２２に対してＸ軸方向に沿った回転軸で回動自在に接続される複数の接続部３２〜３５と、を有する。
【００５８】
このように、筐体１０の前壁部１１が被接続部１９〜２２の前方に重なって配置されているため、カバー部材３０を開状態としても、カバー部材３０と筐体１０との接続部分は前壁部１１によって隠れて見えない。このため、カバー部材３０が開状態であっても、筐体１０の美観を向上させることができる。また、前壁部１１に開口が形成されておらず、下壁部１３に開口１５〜１８が形成されているため、開口１５〜１８から筐体１０の内部に異物が侵入することを低減することができる。よって、異物による筐体１０内部の回路４０に不具合が発生することを抑制することができる。
【００５９】
また、再生装置１によれば、接続部は、切り欠かれているため、対応する被接続部に対して軸方向に垂直な方向に移動させることで、被接続部に接続させることができる。このため、２つの第１接続部を被接続部に接続させた後に、接続部３４を被接続部２１に接続させることが容易にできる。
【００６０】
また、再生装置１によれば、２つの接続部３２、３５に対応する２つの被接続部１９、２２は、筐体１０のＸ軸方向に略直交する２つの面２３、２６」から互いに近づく方向に突出している。このため、２つの接続部３２、３５は、被接続部１９、２２に接続されている状態では、カバー本体３１が撓まない限り、被接続部１９、２２から抜けにくい。よって、カバー部材３０が筐体１０から外れることを抑制することができる。
【００６１】
［５．その他］
なお、上記実施の形態では、筐体１０において、２つの被接続部１９、２２の間に、被接続部２０が配置されているとしたが、被接続部２０は必ずしも配置されていなくてもよい。同様に、開口１６は配置されていなくてもよい。同様に、カバー部材３０において、２つの接続部３２、３５の間に、接続部３３が配置されているとしたが、接続部３３は必ずしも配置されていなくてもよい。
【００６２】
以上、本発明の一つまたは複数の態様に係る再生装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００６３】
本開示は、筐体の美観を向上させることができる再生装置などとして有用である。
【符号の説明】
【００６４】
１    再生装置
１０    筐体
１１    前壁部
１２    開口
１３、１４    下壁部
１５〜１８    開口
１９〜２２    被接続部
２３〜２６    面
２７    突出部
２７ａ    貫通孔
３０    カバー部材
３１    カバー本体
３２〜３５    接続部
３２ａ〜３５ａ    丸孔
３３ｂ    貫通孔
３４ｂ    切り欠き形状
４０    回路
５０    バネ
５１    一端
５１ａ    先端部分
５１ｂ    貫通部分
５２    他端
６０    トレイ
７０    記録媒体
【図１】
2019114317.tif 000003
【図２】
2019114317.tif 000004
【図３】
2019114317.tif 000005
【図４Ａ】
2019114317.tif 000006
【図４Ｂ】
2019114317.tif 000007
【図５】
2019114317.tif 000008
【図６】
2019114317.tif 000009